(57)【要約】【課題】脚部の取付位置を自由に変えても部材の切断数が少なくて済み、かつ、床台の上面から脚部高さ調整を行うことができ、かつ、床台の最低高さが板材厚さに影響されず最低高さが小さい床台ユニットを提供することを目的とする。また、あわせて、床面の耐荷重強度が大きい床台を提供することを目的とする。【解決手段】平面視形状が方形の板材と、高さ調整可能な脚部を有する支持材にて床架台を形成し、前記床架台とその上部を覆う平面視形状が方形の表面材より成る床台において、前記板材の長手方向の任意位置に複数の前記支持材が取り付け可能で、かつ前記脚部が前記板材の長手側方に位置することを特徴とする。【選択図】  図１
2004229996.tif 000002
【特許請求の範囲】
【請求項１】
平面視形状が方形の板材と、高さ調整可能な脚部を有する支持材にて床架台を形成し、前記床架台とその上部を覆う平面視形状が方形の表面材より成る床台において、前記板材の長手方向の任意位置に複数の前記支持材が取り付け可能で、かつ前記脚部が前記板材の長手側方に位置することを特徴とする床台。
【請求項２】
前記表面材の裏面四隅が前記支持材で支持されていることを特徴とする請求項１に記載の床台。
【請求項３】
前記板材の長手側方において隣り合う、前記支持材の前記板材側面から突出した部分で両端支持される補助板材を有することを特徴とする請求項１に記載の床台。
【発明の詳細な説明】
【０００１】
【発明の属する技術分野】
本発明は、室内床に複数の床台を敷設し、床高さを所定の高さに嵩上げする床台ユニットに関するもので、特に浴室洗い場床面と出入り口との段差を解消するために洗い場床面に複数敷設する床台に関する。
【０００２】
【従来の技術】
従来の室内床に複数の床台を敷設し、床高さを所定の高さに嵩上げする床台ユニットは、高さ調整可能な脚部を有する支持材を複数配置し、各支持材間を複数の板材で架け渡し床架台を形成し、床架台の上面を表面材で覆った床台からなるものが考案されている。（例えば、特許文献１参照）
また、複数枚の支持材の上面に長尺の板材をすのこ状に複数枚取り付け、支持材の裏面に高さ調整可能な脚部を取り付けた床台からなるものが考案されている。（例えば、特許文献２参照）
【０００３】
【特許文献１】
特開平１１−１３１７５４号公報（第６頁、第３図）
【特許文献２】
特開２００１−５７９４４号公報（第６頁、第１図）
【０００４】
【発明が解決しようとする課題】
特許文献１の高さ調整可能な脚部を有する支持材を複数配置し、各支持材間を複数の板材で架け渡し床架台を形成し、床架台の上面を表面材で覆った床台では、設置する室内の広さに応じて床台の長さを調整する際、床架台を形成するため支持材の必要数と隣り合う支持材の間隔を調整し、板材を支持材の間隔に合わせて長さ調整して切断する必要があり、表面材の長さも調整して切断する必要があるが、各支持材間に複数の板材を架け渡した構造である為、上記の作業で切断個所が多くなり、施工に手間と時間がかかるといった問題がある。
【０００５】
さらに設置床面の排水溝などの障害を避けて脚部を設置させたい場合は、脚部を有する支持材の取付位置や取付個数を個々の床台ごとに個別に変え、そのために板材の長さを個別に変えて切断する必要があり、施工に手間と時間がかかるといった問題がある。
【０００６】
また特許文献２の複数枚の支持材の上面に長尺の板材をすのこ状に複数枚取り付け、支持材の裏面に高さ調整可能な脚部を取り付けた床台では、板材の長手方向の任意位置に脚部を配置できるものの、板材の直下に位置する支持材脚部の高さ調整を板材上面から、すなわち床台上面から行うことができず、床台裏面から行う必要があり、床に複数の床台を敷きつめたまま脚部の高さ調整を行うことができず、施工に手間と時間がかかるといった問題がある。
【０００７】
さらに、支持材は板材の裏面に取り付けるため、脚部の高さ調整により調整した床台の最低高さは、支持材脚部の高さに板材厚さを加えた高さとなり、床台の最低高さが板材厚さの影響を受け最低高さがその分大きくなり、わずかな高低差の床の嵩上げができないといった問題がある。
【０００８】
本発明は、上記問題を解決するためになされたもので、本発明の目的は、脚部の取付位置を自由に変えても部材の切断数が少なくて済み、かつ、床台の上面から脚部高さ調整を行うことができ、かつ、床台の最低高さが板材厚さに影響されず最低高さが小さい床台ユニットを提供することにある。また、あわせて、床面の耐荷重強度が大きい床台を提供することにある。
【０００９】
【課題を解決するための手段】
上記目的を達成するためになされた請求項１の発明は、平面視形状が方形の板材と、高さ調整可能な脚部を有する支持材にて床架台を形成し、前記床架台とその上部を覆う平面視形状が方形の表面材より成る床台において、前記板材の長手方向の任意位置に複数の前記支持材が取り付け可能で、かつ前記脚部が前記板材の長手側方に位置することを特徴とする。
【００１０】
本発明において、長尺の板材の一端部のみ設置室内の広さに応じて切断して、板材の長手方向の任意位置に複数の支持材を自由に取り付けられ、かつ、表面材を外した床架台を床面に敷きつめた状態で上方から脚部の高さ調整を行い、その後表面材で床架台上部を覆うことができ、かつ、脚部の上部には板材が位置せず表面材のみ覆っているので、その分床台の最低高さを小さくすることができるので、脚部の取付位置を自由に変えても部材の切断数が少なくて済み、かつ、床台の上面から脚部高さ調整を行うことができ、かつ、床台の最低高さが板材厚さに影響されず最低高さが小さい床台ユニットを提供できる。
【００１１】
請求項２の発明は、前記表面材の裏面四隅が前記支持材で支持されていることを特徴とする。
【００１２】
本発明により、床架台上部に複数の表面材を並列して覆った場合、板材両端部下方および隣り合う表面材の境界部下方に支持材を取り付けると、各表面材の裏面四隅を板材または支持材で支持できるので、各表面材の四隅の耐荷重強度が向上する。
【００１３】
請求項３の発明は、前記板材の長手側方において隣り合う、前記支持材の前記板材側面から突出した部分で両端支持される補助板材を有することを特徴とする。
【００１４】
本発明により、板材で支持されない表面材の裏面部分を補助板材で支持でき、表面材の耐荷重強度が向上する。
【００１５】
【発明の実施の形態】
以下、本発明の実施形態の例を説明する。図１は第一実施例の構成図で、床台１３は一枚の平面視形状が方形の板材１と四つの支持材２および支持材２の幅方向両端部に取り付けられる支持脚３にて形成される床架台１２と、一枚の平面視形状が方形の表面材４とで構成される。床架台１２の上面に表面材４を取り付けて床面とする。設置する室内の広さに合わせて床台長さを決め施工するには、板材１と、表面材４の長手寸法をそれぞれ一箇所切断するだけで可能である。
【００１６】
支持材２の幅方向断面は凹形状をしており、凹部で板材１下面および長手方向両側面の三面を支持し、板材１の長手方向の任意位置に取り付けることができる。また、支持材２の幅方向両端の突出部５の上面は板材１の上面と同一面上となっている。
【００１７】
突出部５にはそれぞれ上下に貫通したネジ穴部６を有し、ネジ軸部を有した支持脚３がネジ穴部６に螺入出自在にネジ止めされている。床台１３の高さの調整は支持脚３とネジ穴部６の螺入量によって行い、支持脚３のネジ軸部上面には十字溝が施され、床架台上面からドライバーを十字溝に差し込み支持脚３を回転させることで高さ調整が可能となる。
【００１８】
上記のような構成により、脚部を有する支持材の取付位置を自由に変えても部材の切断数が少なくて済み、表面材を外した床架台を床面に敷きつめた状態で上方から脚部の高さ調整を行い、その後表面材で床架台上部を覆うことができ、かつ、脚部の上部には板材が位置せず表面材のみ覆っているので、その分床台の最低高さが小さくできる。なお、本実施例では支持材は四つとしたが、少なくとも板材両端に支持材があれば他の個所の個数はいくつでも構わない。
【００１９】
図２は第二実施例の構成図で、床台１５は一枚の平面視形状が方形の板材１と三つの支持材２および支持材２の幅方向両端部に取り付けられる支持脚３にて形成される床架台１４と、二枚の平面視形状が方形の表面材４とで構成される。床架台１４の上面に表面材４を取り付けて床面とする。設置する室内の広さに合わせて床台長さを決め施工するには、板材１と、表面材４の長手寸法をそれぞれ一箇所切断するだけで可能である。
【００２０】
支持材２の幅方向断面は凹形状をしており、凹部で板材１下面および長手方向両側面の三面を支持し、板材１の長手方向の任意位置に取り付けることができる。また、支持材２の幅方向両端の突出部５の上面は板材１の上面と同一面上とし、板材１の長手方向両端部および二枚の表面材４の境界部の下方に支持材２を取り付け、二枚の表面材４の裏面四隅は支持材２の突出部５の上面で支持され、かつ二枚の表面材４は長手方向全長にわたって板材１の上面で支持される。
【００２１】
突出部５にはそれぞれ上下に貫通したネジ穴部６を有し、ネジ軸部を有した支持脚３がネジ穴部６に螺入出自在にネジ止めされている。床台１５の高さの調整は支持脚３とネジ穴部６の螺入量によって行い、支持脚３のネジ軸部上面には十字溝が施され、床架台上面からドライバーを十字溝に差し込み支持脚３を回転させることで高さ調整が可能となる。
【００２２】
上記のような構成により、施工の際、部材の切断数が少なくて済み、表面材を外した床架台を床面に敷きつめた状態で上方から脚部の高さ調整を行い、その後表面材で床架台上部を覆うことができ、かつ、脚部の上部には板材が位置せず表面材のみ覆っているので、その分床台の最低高さが小さくできる。また、表面材の裏面四隅は支持材で支持されるため、表面材の隅部に荷重が加えられても耐荷重強度が大きく、たわみにくい。
【００２３】
図３は本発明の第三実施例の構成図である。床台１７は一枚の平面視形状が方形の板材１と二つの端部支持材７と、中間支持材１０と、端部支持材７および中間支持材１０の幅方向両端部に取り付けられる支持脚３および補助板材８にて形成される床架台１６と、二枚の平面視形状が方形の表面材４とで構成される。床架台１６の上面に表面材４を取り付けて床面とする。
【００２４】
構成内容は第一実施例とほぼ同様であり、追加した補助板材８に関して説明を行う。補助板材８は平面視形状が方形で、長手方向両端の下面を、隣り合う端部支持材７と中間支持材１０の突出部５の幅方向側面に設けられた補助板支持部９に架け渡され支持される。補助板材８の上面は、板材１および突出部５の上面と同一面上とし、表面材４の裏面を支持する。
【００２５】
上記のような構成により、脚部を有する支持材の取付位置を自由に変えても部材の切断数が少なくて済み、表面材を外した床架台を床面に敷きつめた状態で上方から脚部の高さ調整を行い、その後表面材で床架台上部を覆うことができ、かつ、脚部の上部には板材が位置せず表面材のみ覆っているので、その分床台の最低高さが小さくできる。また、板材と支持材と補助板材とで表面材は裏面全面を支持されるので、表面材の耐荷重強度が向上する。
【００２６】
図４は本発明の第四実施例の構成図である。床台１９は、一枚の平面視形状が方形の板材１と、７つの支持材１１と、各支持材１１に一本ずつ取り付けられる支持脚３にて形成される床架台１８と、二枚の平面視形状が方形の表面材４とで構成される。支持材１１の上面は板材１の上面と同一面上として板材１の長手方向側面に取り付けられている。支持材１１は上下に貫通したネジ穴部６を有し、支持脚３を取り付ける。支持脚３の高さ調整方法は第一実施例と同様で説明を省略する。
【００２７】
上記のような構成により、前述の第一実施例と同様の効果の他に、支持材を板材の長手方向両側面のそれぞれ任意の位置に自由に取り付けられ、個数は増減できるので、例えば設置床面の排水溝などの障害を避けて脚部を設置させたい場合は、支持材の取付位置や取付個数を長手方向両側面のそれぞれで自由に変えることができ、より安定した床設置ができる。
【００２８】
【発明の効果】
本発明により、脚部の取付位置を自由に変えても部材の切断数が少なくて済み、かつ、床台の上面から脚部高さ調整を行うことができ、かつ、床台の最低高さが板材厚さに影響されず最低高さが小さい床台ユニットを提供できる。また、床面の耐荷重強度が大きい床台を提供することができる。
【図面の簡単な説明】
【図１】本発明の第一実施例の外観図である。
【図２】本発明の第二実施例の外観図である。
【図３】本発明の第三実施例の外観図である。
【図４】本発明の第四実施例の外観図である。
【符号の説明】
１…板材
２…支持材
３…支持脚
４…表面材
５…突出部
６…ネジ穴部
７…端部支持材
８…補助板材
９…補助板支持部
１０…中間支持材
１１…支持材
１２…床架台
１３…床台
１４…床架台
１５…床台
１６…床架台
１７…床台
１８…床架台
１９…床台
【図１】
2004229996.tif 000003
【図２】
2004229996.tif 000004
【図３】
2004229996.tif 000005
【図４】
2004229996.tif 000006